(57)【要約】【課題】本発明は、室内の壁面に臭気が付着することを抑制できる臭気付着抑制システムを提供することを目的とする。【解決手段】  本発明に係る臭気付着抑制システムは、空気清浄化装置１と、送風装置２と、を備えている。空気清浄化装置１は、室内に設けられている。空気清浄化装置１は、吸い込んだ室内の空気を清浄化する。送風装置２は、室内の壁面に沿った気流が形成されるように、空気清浄化装置１により清浄化された空気を室内に吹き出す。【選択図】図１
2017009243.tif 000002
【特許請求の範囲】
【請求項１】
室内に設けられ、前記室内の空気を清浄化する空気清浄化装置と、
前記室内の壁面に沿った気流が形成されるように、前記空気清浄化装置により清浄化された空気を前記室内に吹き出す送風装置と、
を備えた臭気付着抑制システム。
【請求項２】
前記空気清浄化装置及び前記送風装置の少なくとも一方は、前記室内の壁面を検知し、
前記送風装置は、検知された２つの壁面のそれぞれに対して空気が搬送されるように空気の吹き出し方向を変化させる請求項１に記載の臭気付着抑制システム。
【請求項３】
前記空気清浄化装置及び前記送風装置の少なくとも一方は、臭気を検知し、
前記空気清浄化装置及び前記送風装置は、臭気の検知結果に基づいて動作を開始する請求項１又は２に記載の臭気付着抑制システム。
【請求項４】
前記送風装置は、前記室内で臭気が発生していることが検知された場合に、清浄化された空気を熱交換器で冷却して前記室内に吹き出す請求項３に記載の臭気付着抑制システム。
【請求項５】
前記送風装置は、前記室内に臭気が付着していることが検知された場合に、清浄化された空気を熱交換器で加熱して前記室内に吹き出す請求項３又は４に記載の臭気付着抑制システム。
【発明の詳細な説明】
【技術分野】
【０００１】
本発明は、臭気付着抑制システムに関するものである。
【背景技術】
【０００２】
下記特許文献１には、排気送風システムが記載されている。この排気送風システムにおいて、調理機器の周辺にはエアカーテンが形成される。このエアカーテンにより、調理機器の使用時に発生する臭気の拡散が抑制され得る。
【先行技術文献】
【特許文献】
【０００３】
【特許文献１】特許第５１６９７９１号公報
【発明の概要】
【発明が解決しようとする課題】
【０００４】
しかしながら、例えば、調理後の料理がリビング等に運ばれると、リビング等に臭気が拡散する。このため、特許文献１に記載の排気送風システムでは、室内の壁面に臭気が付着することを抑制できない。
【０００５】
本発明は、上記の課題を解決するためになされた。その目的は、室内の壁面に臭気が付着することを抑制できる臭気付着抑制システムを提供することである。
【課題を解決するための手段】
【０００６】
本発明に係る臭気付着抑制システムは、室内に設けられ、室内の空気を清浄化する空気清浄化装置と、室内の壁面に沿った気流が形成されるように、空気清浄化装置により清浄化された空気を室内に吹き出す送風装置と、を備えたものである。
【発明の効果】
【０００７】
本発明に係る臭気付着抑制システムにおいて、送風装置は、室内の壁面に沿った気流が形成されるように、清浄化された空気を室内に吹き出す。このため、本発明によれば、室内の壁面に臭気が付着することを抑制できる。
【図面の簡単な説明】
【０００８】
【図１】本発明の実施の形態１における臭気付着抑制システムを示す模式図である。
【図２】本発明の実施の形態１における空気清浄化装置の断面図である。
【図３】本発明の実施の形態１における空気清浄化装置の第１の斜視図である。
【図４】本発明の実施の形態１における空気清浄化装置の第２の斜視図である。
【図５】本発明の実施の形態１における送風装置の斜視図である。
【図６】本発明の実施の形態１における送風装置の断面図である。
【図７】本発明の実施の形態１における臭気付着抑制システムの動作例を説明するための第１のフローチャートである。
【図８】本発明の実施の形態１における臭気付着抑制システムの動作例を説明するための第２のフローチャートである。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１における臭気付着抑制システムを示す模式図である。
【００１１】
臭気付着抑制システムは、例えば、住宅等の建物内の居室に適用される。図１は、臭気付着抑制システムが適用された居室Ｒの平面図である。図１に示すように、居室Ｒの室内には、空気清浄化装置１及び送風装置２が設けられている。
【００１２】
空気清浄化装置１は、例えば、空気清浄機である。空気清浄化装置１は、例えば、室内の床面に設置されている。空気清浄化装置１は、例えば、室内の中央部からいずれかの壁面に近づいた位置に設置されている。空気清浄化装置１は、例えば、主に室内の中央部の空気を吸い込む。空気清浄化装置１は、吸い込んだ空気を清浄化する。空気清浄化装置１は、清浄化された空気を室内に吹き出す。空気清浄化装置１は、清浄化された空気の吹き出し方向を変化させることが可能である。空気清浄化装置１は、例えば、清浄化された空気を送風装置２に向かって吹き出す。以下、空気清浄化装置１によって清浄化された空気を「清浄化空気」とも呼ぶ。
【００１３】
送風装置２は、例えば、ルームエアコンの室内機である。送風装置２は、例えば、室内の壁面に取り付けられている。送風装置２は、例えば、空気清浄化装置１に最も近い壁面に連続する壁面に取り付けられている。送風装置２は、例えば、壁面の水平方向における中央に配置されている。送風装置２は、室内の空気を吸い込む。送風装置２は、吸い込んだ空気を室内に吹き出す。送風装置２は、例えば、異なる複数の方向に空気を吹き出すことが可能である。送風装置２は、例えば、空気の吹き出し方向を変化させることが可能である。送風装置２は、例えば、室内の壁面に沿った気流が形成されるように空気を吹き出す。当該気流は、図１に破線で示されている。当該気流は、送風装置２側の壁面に連続する壁面に沿って流れた後、送風装置２側の壁面に対向する壁面にぶつかり、室内の中央部へ至る。室内の中央部へ至った当該気流は、空気清浄化装置１に吸い込まれる。
【００１４】
空気清浄化装置１が送風装置２に向かって清浄化空気を吹き出している場合、送風装置２は、清浄化空気を吸い込む。送風装置２は、吸い込んだ清浄化空気を室内に吹き出す。この場合、図１に破線で示す気流は、清浄化空気で形成される。つまり、空気清浄化装置１と送風装置２とが連動して運転され、それぞれから吹き出される空気の風向が調整されることで、図１に破線で示す気流が清浄化空気で形成される。
【００１５】
空気清浄化装置１及び送風装置２は、通信機能を有している。空気清浄化装置１及び送風装置２は、例えば、通信手段として住宅内に構築されたネットワークに接続されている。当該ネットワークは、例えば、有線ＬＡＮ又は無線ＬＡＮ等である。当該ネットワークには、例えば、臭気の発生に関わる調理機器等も接続されていてもよい。臭気の発生に関わる調理機器は、例えば、ＩＨクッキングヒータ又はガスレンジ等である。なお、空気清浄化装置１と送風装置２との間の通信は、例えば、ネットワークを介さずに直接行われてもよい。
【００１６】
空気清浄化装置１及び送風装置２の少なくとも一方は、壁面検知機能を有している。壁面検知機能は、例えば、熱情報センサ、位置情報センサ及び画像センサ等からの情報を図示しない制御部が処理することで実現される。熱情報センサは、赤外線等を用いて熱情報を検知する。位置情報センサは、超音波等を用いて物体の位置情報を検知する。画像センサは、例えば、画像を検知するカメラ等である。壁面検知機能は、これらのセンサで室内の人、物体、間取り、ドア及び窓等をセンシングすることにより、室内の壁面、天井及び床面を検知する機能である。
【００１７】
熱情報センサは、縦方向に並んだ複数のサーモパイルを横方向に動かしてスキャニングする機能を有する。熱情報センサのスキャニングにより得られた熱画像、人の動線及び窓の位置等に基づいて、室内の壁面の位置を見積もることができる。
【００１８】
位置情報センサは、熱情報センサと同様に、横方向にスキャニングする機能を有する。位置情報センサのスキャニングにより、複数の物体との距離を取得することで室内に存在する人、物、間取り、ドア及び窓等をセンシングすることができる。その結果、室内において、何がどこにあるかを検知し、空気清浄化装置１及び送風装置２と壁面、天井及び床面との距離を明確に検出することができる。
【００１９】
壁面検知機能を実現するためのセンサ等は、空気清浄化装置１及び送風装置２の少なくとも一方に設けられてもよい。壁面検知機能を実現するためのセンサ等は、室内に設置された図示しない他の機器に設けられてもよい。この場合、空気清浄化装置１及び送風装置２は、通信手段を介して当該他の機器からセンサ等が検知した情報を取得すればよい。また、壁面検知機能は、通信機能を有するタブレット端末等を用いてユーザーが室内の情報を入力することで実現されてもよい。
【００２０】
空気清浄化装置１及び送風装置２の少なくとも一方は、臭気検知機能を有している。臭気検知機能は、室内における臭気の発生を検知又は予測する機能である。
【００２１】
臭気検知機能は、例えば、臭気物質を検知する臭気センサからの情報を制御部が処理することで実現される。臭気検知機能は、例えば、カメラ等により検出された人の行動に基づいて臭気の発生を予測するものでもよい。臭気検知機能は、例えば、赤外線センサ等で熱源を検知することで、加熱調理等による臭気の発生を検知又は予測するものでもよい。臭気検知機能は、例えば、臭気の発生に関わる調理機器の運転を検知することで、臭気の発生を予測するものでもよい。臭気検知機能は、例えば、調理機器の運転時に通信手段を介して調理機器の運転情報を取得することで、臭気の発生を予測するものでもよい。
【００２２】
臭気検知機能を実現するためのセンサ等は、空気清浄化装置１及び送風装置２の少なくとも一方に設けられてもよい。臭気検知機能を実現するためのセンサ等は、室内に設置された図示しない他の機器に設けられてもよい。この場合、空気清浄化装置１及び送風装置２は、通信手段を介して当該他の機器からセンサ等が検知した情報を取得すればよい。
【００２３】
臭気付着抑制システムは、例えば、臭気付着抑制モード又は臭気除去モードで動作を行う。臭気付着抑制モードとは、臭気が壁面に付着することを抑制するために、空気清浄化装置１と送風装置２とが連動して運転する方式である。臭気除去モードとは、壁面に付着している臭気を除去するために、空気清浄化装置１と送風装置２とが連動して運転する方式である。
【００２４】
図２は、実施の形態１における空気清浄化装置の断面図である。図２における左側の面は、空気清浄化装置１の正面である。図２における右側の面は、空気清浄化装置１の背面である。
【００２５】
図２に示すように、空気清浄化装置１は、ケーシング３、台座４、水平回転機構５、送風機６、清浄部７及び可動ルーバー８を備えている。送風機６及び清浄部７は、ケーシング３の内部に収容されている。ケーシング３には、吸込口９及び吹出口１０が形成されている。
【００２６】
ケーシング３は、例えば、略四角形の角筒状に成形され、床面と垂直な方向に延びる縦長のタワー型ケースである。台座４は、空気清浄化装置１の設置面に接する。空気清浄化装置１は、例えば、台座４が床面に接した状態で室内に設置される。水平回転機構５は、図示しない回転軸を有している。ケーシング３は、回転軸を介して台座４に支持されている。ケーシング３は、回転軸を中心として水平方向に回転する。
【００２７】
吸込口９は、室内の空気をケーシング３の内部に取り込むための開口部である。図２に示すように、吸込口９は、例えば、ケーシング３の正面に開口している。吸込口９は、例えば、垂直方向に延びた縦長の開口形状を呈する。なお、吸込口９は、ケーシング３の背面、側面又は下面等に形成されてもよい。
【００２８】
吹出口１０は、ケーシング３の内部の空気をケーシング３の外部に放出するための開口部である。図２に示すように、吹出口１０は、例えば、ケーシング３の上面に開口している。吹出口１０は、例えば、左右方向に延びた横長の開口形状を呈する。なお、吹出口１０は、ケーシング３の正面又は側面等に形成されてもよい。
【００２９】
送風機６は、吸込口９から吹出口１０に至る空気の流れを発生させる。つまり、送風機６は、吸込口９からケーシング３の内部に空気を吸い込み、ケーシング３の内部の空気を吹出口１０から外部に吹き出すものである。吹出口１０からの吹き出し空気の風量は、送風機６の回転数に応じて変化する。
【００３０】
図２に示すように、空気清浄化装置１は、例えば、送風機６として送風機６ａ及び送風機６ｂの２つを備えている。送風機６ａは、送風機６ｂよりも正面側且つ上側に配置されている。送風機６ｂは、送風機６ａよりも背面側且つ下側に配置されている。なお、空気清浄化装置１は、１つのみ又は３つ以上の送風機６を備えてもよい。
【００３１】
清浄部７は、吸込口９と送風機６との間に配置されている。つまり、清浄部７は、ケーシング３の内部において、送風機６よりも上流側に位置している。清浄部７は、吸込口９からケーシング３の内部に吸い込まれた空気を清浄化する。清浄化とは、少なくとも臭気分子を捕集、不活性化又は分解することである。清浄部７は、臭気分子以外にも、空気中に浮遊する塵埃、煙、花粉、ウイルス、カビ、菌及びアレルゲン等を捕集、不活性化又は分解してもよい。清浄部７は、具体的には、例えば、フィルタ又は電圧印加デバイス等である。また、清浄部７は、例えば、これらを組み合わせることにより構成されている。
【００３２】
可動ルーバー８は、図示しないルーバー駆動部を介して吹出口１０に配置されている。ルーバー駆動部は、可動ルーバー８の前後方向における角度を変化させる。つまり、可動ルーバー８は、吹出口１０から吹き出される空気の風向を上下方向に調整するものである。
【００３３】
図２に示すように、空気清浄化装置１は、例えば、可動ルーバー８として可動ルーバー８ａ及び可動ルーバー８ｂの２つを備えている。可動ルーバー８ａ及び可動ルーバー８ｂは、前後方向に並んで配置されている。可動ルーバー８ａは、送風機６ａの駆動によって吹出口１０から吹き出される空気の風向を変化させる。可動ルーバー８ｂは、送風機６ｂの駆動によって吹出口１０から吹き出される空気の風向を変化させる。なお、空気清浄化装置１は、１つのみ又は３つ以上の可動ルーバー８を備えてもよい。
【００３４】
図３は、実施の形態１における空気清浄化装置の第１の斜視図である。図４は、実施の形態１における空気清浄化装置の第２の斜視図である。図３及び図４には、空気清浄化装置１の上面、正面及び側面が示されている。なお、図３及び図４は、概略的な構造を説明するための模式図であり、必ずしも他の図と整合するものではない。
【００３５】
図３及び図４は、空気清浄化装置１の可動ルーバー８及び整流機構を示している。整流機構は、例えば、可動ルーバー８の受風面に立てられたフィン１１及び図示しないフィン駆動部を有している。複数のフィン１１は、左右方向に沿って、一定の間隔で並んでいる。フィン駆動部は、複数のフィン１１の左右方向における角度を変化させる。つまり、整流機構は、吹出口１０から吹き出される空気の風向を左右方向に調整するものである。図３は、空気清浄化装置１の正面側から見て左向きに風向が調整されている状態を示している。図４は、空気清浄化装置１の正面側から見て右向きに風向が調整されている状態を示している。
【００３６】
空気清浄化装置１の上記構成により、ケーシング３、可動ルーバー８及びフィン１１の向きが調整可能である。つまり、吸込口９に空気が吸い込まれる方向は、左右方向に調整可能である。また、吹出口１０から吹き出される空気の風向は、上下左右に調整可能である。このため、空気清浄化装置１は、例えば、吹き出す空気を送風装置２に対して搬送することが可能である。
【００３７】
図３及び図４に示すように、空気清浄化装置１の正面には、センサ部１２が設けられている。センサ部１２は、例えば、壁面検知機能及び臭気検知機能の少なくとも一方を実現するためのセンサ等である。なお、センサ部１２は、空気清浄化装置１の上面、側面又は背面に設けられてもよい。また、センサ部１２は、空気清浄化装置１の複数の箇所に設けられてもよい。
【００３８】
図５は、実施の形態１おける送風装置の斜視図である。
【００３９】
図５に示すように、送風装置２の正面の上部は、前面パネル１３に覆われている。送風装置２の上面には、吸込口１４が形成されている。送風装置２の下部には、吹出口１５が形成されている。前面パネル１３の下方には、上下風向板１６ａ、上下風向板１６ｂ、上下風向板１６ｃ及び上下風向板１６ｄが設けられている。上下風向板１６ａ、上下風向板１６ｂ、上下風向板１６ｃ及び上下風向板１６ｄよりも奥側には、複数の左右風向板１７が設けられている。
【００４０】
上下風向板１６ａは、吹出口１５の左上部分に配置されている。上下風向板１６ｂは、吹出口１５のうち右上部分に配置されている。上下風向板１６ｃは、吹出口１５の左下部分に配置されている。上下風向板１６ｄは、吹出口１５の右下部分に配置されている。上下風向板１６ａ及び上下風向板１６ｂは、送風装置２の正面視における長手方向の中央で分割されたかのように、僅かな隙間を隔てて左右に並んでいる。上下風向板１６ｃ及び上下風向板１６ｄは、送風装置２の正面視における長手方向の中央で分割されたかのように、僅かな隙間を隔てて左右に並んでいる。
【００４１】
上下風向板１６ａ、上下風向板１６ｂ、上下風向板１６ｃ及び上下風向板１６ｄの互いの対向部には、図示しない支持腕が設けられている。支持腕には、図示しないピンを介して、図示しない支柱が回転自在に取り付けられている。上下風向板１６ａ、上下風向板１６ｂ、上下風向板１６ｃ及び上下風向板１６ｄの互いの対向部との反対側には、図示しない支持軸が設けられている。支持軸は、吹出口１５の側壁の図示しない軸受に着脱自在に支持されている。各支持軸は、モータの駆動により独立して回転し得るように設けられている。モータの駆動は、図示しない風向制御部により制御される。上下風向板１６ａ、上下風向板１６ｂ、上下風向板１６ｃ及び上下風向板１６ｄの前後方向における角度が変化することで、吹出口１５から吹き出される空気の風向が上下方向に変化する。
【００４２】
複数の左右風向板１７は、送風装置２の正面視における長手方向に沿って並んで配置されている。左右風向板１７は、それぞれ支持軸によって個別に制御可能に支持されている。左右風向板１７の左右方向における角度が変化することで、吹出口１５から吹き出される空気の風向が左右方向に変化する。
【００４３】
送風装置２の上記構成により、吹出口１５から吹き出される空気の風向は、上下左右に調整可能である。このため、送風装置２は、室内の壁面、天井及び床面に向かって送風することが可能である。また、送風装置２は、例えば、吹出口１５の左側部分から吹き出される空気の風向と吹出口１５の右側部分から吹き出される空気の風向とが異なるように送風することが可能である。
【００４４】
図５に示すように、送風装置２の正面には、センサ部１２が設けられている。センサ部１２は、例えば、壁面検知機能及び臭気検知機能の少なくとも一方を実現するためのセンサ等である。なお、センサ部１２は、送風装置２の複数の箇所に設けられてもよい。
【００４５】
図６は、実施の形態１における送風装置の断面図である。図６は、送風装置２の正面視における右側から見た断面を示している。
【００４６】
図６に示すように、送風装置２は、内部に送風機１８及び熱交換器１９を備えている。送風機１８は、吸込口１４の下方且つ吹出口１５の上方に設けられている。熱交換器１９は、吸込口１４と送風機１８との間に設けられている。
【００４７】
送風機１８は、図示しないファンモータにより回転駆動され得るように設けられている。吹出口１５からの吹き出し空気の風量は、ファンモータの回転数に応じて変化する。図示しないファンモータ制御部は、ファンモータの回転数を変化させる制御を行う。熱交換器１９は、吹出口１５から吹き出される空気を加熱又は冷却する。
【００４８】
図７は、実施の形態１における臭気付着抑制システムの動作例を説明するための第１のフローチャートである。図７は、臭気付着抑制モードの動作例を示している。なお、図７に示す例では、臭気濃度を検知する臭気センサからの情報に基づいて臭気検知機能が実現される。
【００４９】
空気清浄化装置１及び送風装置２の少なくとも一方は、臭気検知機能により、臭気が室内で発生しているか否かを判定する（ステップＳ１０１）。具体的には、例えば、予め設定された基準値を超える臭気濃度が検知された場合に、臭気が室内で発生していると判定される。ステップＳ１０１において、臭気が室内で発生していないと判定された場合、ステップＳ１０１の動作が繰り返される。
【００５０】
ステップＳ１０１において、臭気が室内で発生していると判定された場合、空気清浄化装置１は、送風装置２へ清浄化空気を搬送する（ステップＳ１０２）。具体的には、空気清浄化装置１は、可動ルーバー８と水平回転機構５又は整流機構により、送風装置２の方向へ空気が吹き出されるように風向を制御する。この動作により、清浄化空気が送風装置２の吸込口１４へ搬送される。
【００５１】
ステップＳ１０２における空気清浄化装置１による風向制御は、例えば、送風装置２との通信で得られた送風装置２の位置情報に基づいて行われてもよい。当該風向制御は、例えば、予め設定された送風装置２の位置情報に基づいて行われてもよい。当該風向制御は、例えば、空気清浄化装置１のセンサ部１２を用いて検知された送風装置２の位置情報に基づいて行われてもよい。当該風向制御は、例えば、送風装置２のセンサ部１２を用いて検知された空気清浄化装置１の位置情報に基づいて行われてもよい。当該風向制御は、例えば、通信機能を有するタブレット端末等を用いてユーザーが入力した情報に基づいて行われてもよい。
【００５２】
ステップＳ１０２で空気清浄化装置１により搬送された清浄化空気は、送風装置２の吸込口１４から吸い込まれる。吸込口１４から吸い込まれた清浄化空気は、熱交換器１９により冷却され、冷風として吹出口１５から吹き出される。このとき、清浄化空気は、壁面検知機能により予め検知されている２つの壁面へ向かって、２方向に吹き出される。つまり、送風装置２は、清浄化空気を冷風として壁面へ搬送する（ステップＳ１０３）。具体的には、送風装置２は、室内の壁面に沿った気流が形成されるように、且つ送風装置２の正面視における左右両側に同時に空気が吹き出されるように風向を制御する。なお、送風装置２の風量は、予め設定されていてもよく、室内の臭気濃度等に応じて調整されてもよい。
【００５３】
ステップＳ１０３で送風装置２により清浄化空気が搬送されると、清浄化空気で形成された冷たい気流が壁面付近に発生する（ステップＳ１０４）。当該冷たい気流により、壁面への臭気物質の付着が抑制される。また、当該冷たい気流により、臭気物質は室内の中央部へ搬送される。これにより、空気清浄化装置１の吸込み空間である室内中央部の臭気濃度が高くなる。つまり、室内に存在する臭気物質は、冷たい気流により壁面への付着を抑制され、空気清浄化装置１の吸込み空間へ集まる（ステップＳ１０５）。
【００５４】
空気清浄化装置１及び送風装置２の少なくとも一方は、臭気検知機能により、室内の臭気濃度が基準値以下であるか否かを判定する（ステップＳ１０６）。ステップＳ１０６において、臭気濃度が基準値以下でないと判定された場合、臭気付着抑制モードの動作が継続される。
【００５５】
ステップＳ１０６において、臭気濃度が基準値以下であると判定された場合、臭気付着抑制モードの動作は終了する。また、ユーザーによって停止操作が行われた場合も、臭気付着抑制モードの動作は終了する。
【００５６】
なお、臭気付着抑制モードにおいて、臭気が室内で発生しているという判定は、例えば、ガスレンジ又はＩＨクッキングヒータ等の調理機器の熱源を検知することで行われてもよい。当該判定は、例えば、調理機器の運転を検知することで行われてもよい。当該判定は、例えば、調理機器の運転と連動することで行われてもよい。また、臭気付着抑制モードの動作は、当該判定が行われていない場合であっても、ユーザーが手動で空気清浄化装置１及び送風装置２を操作することで開始されてもよい。
【００５７】
図８は、実施の形態１における臭気付着抑制システムの動作例を説明するための第２のフローチャートである。図８は、臭気除去モードの動作例を示している。なお、図８に示す例では、臭気濃度を検知する臭気センサからの情報に基づいて臭気検知機能が実現される。
【００５８】
空気清浄化装置１及び送風装置２の少なくとも一方は、臭気検知機能により、室内に臭気が付着しているか否かを判定する（ステップＳ２０１）。具体的には、例えば、予め設定された基準値を超える臭気濃度が検知された場合に、室内に臭気が付着していると判定される。ステップＳ２０１において、室内に臭気が付着していないと判定された場合、ステップＳ２０１の動作が繰り返される。
【００５９】
ステップＳ２０１において、室内に臭気が付着していると判定された場合、ステップＳ２０２の動作が行われる。ステップＳ２０２の動作は、ステップＳ１０２の動作と同様である。
【００６０】
ステップＳ２０２で空気清浄化装置１により搬送された清浄化空気は、送風装置２の吸込口１４から吸い込まれる。吸込口１４から吸い込まれた清浄化空気は、熱交換器１９により加熱され、温風として吹出口１５から吹き出される。このとき、清浄化空気は、壁面検知機能により予め検知されている２つの壁面へ向かって、２方向に吹き出される。つまり、送風装置２は、清浄化空気を温風として壁面へ搬送する（ステップＳ２０３）。具体的には、送風装置２は、室内の壁面に沿った気流が形成されるように、且つ送風装置２の正面視における左右両側に同時に空気が吹き出されるように風向を制御する。なお、送風装置２の風量は、予め設定されていてもよく、室内の臭気濃度等に応じて調整されてもよい。
【００６１】
ステップＳ２０３で送風装置２により清浄化空気が搬送されると、清浄化空気で形成された温かい気流が壁面付近に発生する（ステップＳ２０４）。当該温かい気流により壁面の温度が上昇すると、壁面に付着している臭気が空気中へ拡散し易くなる。これにより、壁面に付着していた臭気は除去され、当該温かい気流によって室内の中央部へ搬送される。これにより、空気清浄化装置１の吸込み空間である室内中央部の臭気濃度が高くなる。つまり、壁面に付着していた臭気物質は、温かい気流により壁面から除去され、空気清浄化装置１の吸込み空間へ集まる（ステップＳ２０５）。
【００６２】
空気清浄化装置１及び送風装置２の少なくとも一方は、臭気検知機能により、室内の臭気濃度が基準値以下であるか否かを判定する（ステップＳ２０６）。ステップＳ２０６において、臭気濃度が基準値以下でないと判定された場合、臭気除去モードの動作が継続される。
【００６３】
ステップＳ２０６において、臭気濃度が基準値以下であると判定された場合、臭気除去モードの動作は終了する。また、ユーザーによって停止操作が行われた場合も、臭気除去モードの動作は終了する。
【００６４】
なお、臭気除去モードにおいて、室内に臭気が付着しているという判定は、例えば、調理機器の運転等の臭気発生動作がない状態で高い臭気濃度が検知された場合に行われてもよい。臭気除去モードの動作は、例えば、ユーザーが手動で空気清浄化装置１及び送風装置２を操作することで開始されてもよい。臭気除去モードの動作は、例えば、室内から人がいなくなったことが検知された場合に開始されてもよい。臭気除去モードの動作は、例えば、タイマー等に基づいて一定の時間間隔で行われてもよい。臭気除去モードの動作は、例えば、予め設定された人のいない時間帯に行われるようにプログラムされていてもよい。人のいない時間帯とは、例えば、夜間等である。
【００６５】
実施の形態１において、臭気付着抑制システムは、空気清浄化装置１及び送風装置２を備える。空気清浄化装置１は、室内に設けられ、室内の空気を清浄化する。送風装置２は、室内の壁面に沿った気流が形成されるように、空気清浄化装置１により清浄化された空気を室内に吹き出す。実施の形態１によれば、清浄化空気で形成された気流が壁面付近に発生することにより、当該壁面に臭気が付着することを抑制できる。このため、調理臭及びタバコ臭等の臭気が室内で発生したとしても、壁面に臭気が蓄積されにくい。その結果、リビング等の室内の快適性を維持するとともに、壁面及び壁紙の長寿命化を図ることができる。
【００６６】
実施の形態１において、空気清浄化装置１及び送風装置２の少なくとも一方は、壁面検知機能により室内の壁面を検知する。送風装置２は、検知された２つの壁面のそれぞれに対して空気が搬送されるように、左右風向板１７によって空気の吹き出し方向を変化させる。実施の形態１によれば、気流は、送風装置２側の壁面に連続する２つの壁面に沿って流れた後、送風装置２側の壁面に対向する壁面にぶつかり、室内の中央部へ至る。このため、室内で発生した臭気は、どの壁面にも近づくことなく室内の中央部に集まる。その結果、室内の各壁面に臭気が付着することを抑制できる。
【００６７】
実施の形態１において、空気清浄化装置１は、室内の中央部の空気を吸い込んで清浄化し、清浄化された空気を送風装置２に向かって吹き出す。実施の形態１によれば、空気清浄化装置１は、気流によって臭気濃度が高まる領域である室内中央部の空気を清浄化する。このため、効率的に室内の空気を清浄化することができる。また、空気清浄化装置１は、清浄化空気を送風装置２の周辺に搬送する。このため、壁面に沿った気流を清浄化空気で形成することができる。
【００６８】
実施の形態１において、空気清浄化装置１及び送風装置２の少なくとも一方は、臭気検知機能により室内の臭気を検知する。空気清浄化装置１及び送風装置２は、臭気の検知結果に基づいて動作を開始する。実施の形態１によれば、臭気検知機能により特定の検知結果が得られた場合に、空気清浄化装置１と送風装置２とが連動して運転される。このため、必要な時にのみ臭気の付着を抑制する気流を発生させることができる。
【００６９】
実施の形態１において、送風装置２は、臭気検知機能により室内で臭気が発生していることが検知された場合に、清浄化された空気を熱交換器１９で冷却して室内に吹き出す。これにより、常温の空気で気流を形成する場合に比べて、臭気を壁面に付着させにくくすることができる。その結果、より効果的に、壁面に臭気が付着することを抑制できる。
【００７０】
実施の形態１において、送風装置２は、臭気検知機能により室内に臭気が付着していることが検知された場合に、清浄化された空気を熱交換器１９で加熱して室内に吹き出す。これにより、常温の空気で気流を形成する場合に比べて、臭気を壁面から拡散させ易くすることができる。その結果、臭気の付着を抑制するだけでなく、壁面に付着している臭気を除去することができる。
【００７１】
臭気付着抑制モードにおいて、送風装置２から冷風を吹き出すと室内に居る人が寒さを感じる場合は、送風モードで送風装置２を運転してもよい。例えば、送風装置２は、冬季の期間は臭気付着抑制モードにおいて冷却を行わないように設定されていてもよい。この場合であっても、室内の壁面に臭気が付着することを抑制する効果が得られる。
【００７２】
臭気除去モードにおいて、送風装置２から温風を吹き出すと室内に居る人が暑さを感じる場合は、送風モードで送風装置２を運転してもよい。例えば、送風装置２は、夏季の期間は臭気除去モードにおいて加熱を行わないように設定されていてもよい。この場合であっても、室内の壁面に臭気が付着することを抑制する効果が得られる。
【００７３】
送風装置２は、壁面検知機能により検知された天井及び床面のそれぞれに対して同時に空気が搬送されるように、空気の吹き出し方向を変化させてもよい。この場合、形成される気流は、天井及び床面のそれぞれに沿って流れた後、送風装置２側の壁面に対向する壁面にぶつかり、室内の中央部へ至る。このため、室内で発生した臭気は、天井及び床面のいずれにも近づくことなく室内の中央部に集まる。その結果、室内の天井及び床面に臭気が付着することを抑制できる。
【符号の説明】
【００７４】
１  空気清浄化装置
２  送風装置
３  ケーシング
４  台座
５  水平回転機構
６  送風機
６ａ，６ｂ  送風機
７  清浄部
８，８ａ，８ｂ  可動ルーバー
９  吸込口
１０  吹出口
１１  フィン
１２  センサ部
１３  前面パネル
１４  吸込口
１５  吹出口
１６ａ，１６ｂ，１６ｃ，１６ｄ  上下風向板
１７  左右風向板
１８  送風機
１９  熱交換器
【図１】
2017009243.tif 000003
【図２】
2017009243.tif 000004
【図３】
2017009243.tif 000005
【図４】
2017009243.tif 000006
【図５】
2017009243.tif 000007
【図６】
2017009243.tif 000008
【図７】
2017009243.tif 000009
【図８】
2017009243.tif 000010